(57)【特許請求の範囲】
【請求項１】
円板状の頂板（１１）の下面に、内周部に雌螺子（１２）を螺設した内円筒胴（１３）を垂設したコマ（３）の螺子部に、上部を開口した円筒の外周に雄螺子（１８）を螺設し、底面（１９）を円弧状に形成すると共に複数のガイド穴（２１）を貫設したジョイント（４）を螺合し、円板状の底板上面に上部を開口した外円筒胴（６）を垂設し、該外円筒胴（６）の内面に位置する底板（５）上に回り止めピン（８）を垂設した台（２）に挿入したことを特徴とする床板支持具。
【請求項２】
回り止めピン（３１）の先端部の形状を鉤形としたことを特徴とする、請求項１記載の床板支持具
【発明の詳細な説明】
【０００１】
【発明の属する技術分野】
この発明は，建築物の床面を施工する際に、コンクリートスラブなどの地盤と床面との間に組み込む床板支持具に関する。
【０００２】
【従来の技術】
従来、床組みは床づか、大引、根太などにより構成される従来工法により施工されている。この方法では各部分に使用する材料の選定や加工には熟練度を要するだけでなく工期も相当かかっていた。また、コンクリートスラブ上に直接床材を施工する従来の直張り工法では、遮音が不十分なために階下や隣室への騒音漏れが問題となっており、更に直張りでは床面が固く弾力性に欠けるために身体への疲労等の問題が生じていた。一方、従来工法による施行では、地盤の沈下等によりコンクリートスラブが傾斜したり土台が下がると、それに伴って床面も下がるため建築物に歪が生じる結果、床面の一部が下がったり傾斜が生じていた。これを解決するために二重床による施工方法があるが、従来の施工方法より複雑な工程を必要とし、工期や費用負担の増大を余儀なくされていた。
【０００３】
【発明が解決しようとする課題】
そこで、出願人は既に特願平７−５８１８９に示す、床板支持具を発明し既に出願済である。これは、中心に円形の導入口を設けた円板状の頂板の下面に、内周部に螺子を螺設した円筒胴を垂設したコマの螺子部に、上部を開口した円筒の外周に螺子を螺設し、底面には複数の穴を貫設したジョイントを螺合したものを、円板状の底板の上面に上部を開口した円筒胴を垂設し、円筒胴の内面に位置する底板上に複数の回り止めピンを垂設したものである。しかしながら、前記発明による床板支持具は、組立時にジョイント内部及びコマの内円筒胴外部と台の外円筒胴内部の間に寒水石或は乾燥砂を充填する必要があり、施工に手間が掛かっていた。
【０００４】
【課題を解決するための手段】
前記の課題を解決するために、本発明による床板支持具は、寒水石或は乾燥砂を用いなくても同様の効果を有する構造としている。即ち、円板状の頂板の下面に、内周部に雌螺子を螺設した内円筒胴を垂設したコマの螺子部に、上部を開口した円筒の外周に雄螺子を螺設し、底面を円弧状に形成すると共に複数の穴を貫設したジョイントを螺合したものを、円板状の底板上面に上部を開口した外円筒胴を垂設し、外円筒胴の内面に位置する底板上に回り止めピンを垂設した台に挿入している。
【０００５】
また、台にジョイントを挿入後、容易に外れないようにするため、回り止めピンの先端部を鉤形としている。
【０００６】
【発明の実施の形態】
本発明による床板支持具は、コマとジョイントと台より構成されている。
【０００７】
コマの形状は、円板状の頂板の下面に、内周部に雌螺子を螺設した内円筒胴を垂設したもので、頂板の外周部には、中心に対してそれぞれ対称の位置に、レベル調整の際にコマを手で回転させる時の把手となる複数個の切欠を設けている。
【０００８】
ジョイントの形状は、上部を開口した円筒の外周に雄螺子を螺設し、底面を円弧状に形成すると共に複数のガイド穴を貫設している。
【０００９】
台の形状は、円板状の底板上面に上部を開口した外円筒胴を垂設し、該外円筒胴の内面に位置する底板上に２本の回り止めピンを垂設している。
【００１０】
他の実施例においては、２本の回り止めピンの先端部を鉤形としているた。
【００１１】
【実施例】
以下、この発明をその実施例を示す図に基づいて説明する。図１は本発明の床板支持具１の正面組立断面図、図２は台２の平面図である。床板支持具１の各部品はプラスチックで一体成型する。図において円板状の底板５の上面に外円筒胴６を垂設し、外円筒胴６の外周面には、床面からの加重に耐える強度を持たせるために４本のリブ７を等間隔に突設する。外円筒胴６の内面に囲まれた底板５の上面には、回り止めピン８を台２の中心に対して対称位置に２本垂設する。外円筒胴６の外周より外の底板５の上面には、円周上に接着穴９を各リブ７間に各３個貫設する。
【００１２】
図３は、他の実施例を示す台３０の側面断面図である。図において円板状の底板５の上面に外円筒胴６を垂設し、外円筒胴６の外周面には、床面からの加重に耐える強度を持たせるために４本のリブ７を等間隔に突設する。外円筒胴６の内面に囲まれた底板５の上面には、先端部を鉤形とした回り止めピン３１を台３０の中心に対して対称位置に２本垂設する。外円筒胴６の外周より外の底板５の上面には、円周上に接着穴９を各リブ７間に各３個貫設する。
【００１３】
図４はコマ３の底面図である。図において円板状の頂板１１の下面に内周面に雌螺子１２を螺設した内円筒胴１３を垂設する。頂板１１の外周部にはコマ３の中心に対してそれぞれ対称の位置に、レベル調整の際にコマ３を手で回転させる時の把手となる４個の切欠１４を設ける。また、内円筒胴１３の外周面には、床面からの加重に耐える強度を持たせるため８本のリブ１０を等間隔に突設する。頂板１１の外周部には等間隔に４個の床板取付穴１７を貫設する。
【００１４】
図５はジョイント４の平面図であり、図６はその正面断面図である。図においてジョイント４は上部を開放した円筒状に形成し、円筒部の外周は雄螺子１８を螺設する。円筒部の内側には十字形にステー２２を設ける。底面１９は円弧状に形成すると共に、中心位置に対して対象位置にガイド穴２１を４個貫設する。
【００１５】
図７は、本実施例による床板支持具１の施工状態を示す正面断面図であり、施工手順は次のとおりである。コンクリートスラブ２３上に墨入れをして床板支持具１の設置位置を定める。台２の底面に接着剤２４を塗布して、床板支持具１をコンクリートスラブ２３上の所定位置に圧着する。すると接着剤２４は上方からの圧力により接着穴９内にも入り込んで固化するため、より一層強い接着力が得られる。
【００１６】
他の実施例による床板支持具を用いる場合には、予め台３０の回り止めピン３１にジョイント４のガイド穴２１を挿入して連結し、該ジョイント４の外周に設けられた雄螺子１８に、コマ３の雌螺子１２を螺合して一体化しておく。
【００１７】
台２を接着して適宜時間養生した後に、ジョイント４を螺合したコマ３を手で回転させてレベルを調整する。帯板２５を部屋の全周に張設した後、所定の縦横間隔に帯板２５を張設する。帯板２５の上面からビスを用いて全てのコマ３を固定する。帯板２５の上面に接着剤２４を塗布して、床パネル２６を帯板２５の上面に接着後に釘止めする。床パネル２６の上に仕上げ材２７を貼って施工が終了する。なお、本発明の床板支持具１を用いれば、施工時に於てコンクリートスラブ２３が傾斜していても、コマ３に螺合したジョイント４の底面が円弧状に形成されているため、台２の底板上部とは常に広い面積で接触するので、床板を確実に支持することができるから、床面からの加重を常に均一に保持できる。
【００１８】
【発明の効果】
以上のように、本発明による床板支持具１を用いれば、前記に示した作用のとおり、コンクリートスラグ２３に対して床板が多少傾斜していても、ジョイント４の底面１９が円弧状となっているため、常に台２の底板上面部と広い面積で接触し、床板を確実に支持する。
【００１９】
また、施工後にコンクリートスラブ２３或は床板に傾斜が発生した時でも、ジョイント４の底面１９と台２の底板上面部との接触面が移動して常に床板を確実に支持する。したがって、床面の歪や傾斜を防止する効果が顕著であり、建具の開閉困難、床鳴り等の不具合が解消される。
【００２０】
更に、床面とコンクリートスラブ２３の間に適当な間隔を設けることにより騒音を軽減できるだけでなく、直張りに比べて床面に弾力性を持たすことができるため、身体への疲労等を軽減することができる。
【００２１】
回り止めピンの先端部の形状を鉤形としたことにより、台とジョイントが連結され、床板支持具を一体化することができるので、施工時の作業性及びハンドリングが向上する。
【図面の簡単な説明】
【図１】本発明の実施例を示す正面組立断面図である。
【図２】本発明の実施例を示す台の平面図である。
【図３】本発明の他の実施例を示す台の側面断面図である。
【図４】コマの底面図である。
【図５】ジョイントの平面図である。
【図６】ジョイントの正面断面図である。
【図７】実施例の施工状態を示す正面断面図である。
【符号の説明】
１    床板支持具
２    台
３    コマ
４    ジョイント
５    底板
６    外円筒胴
７    リブ
８    回り止めピン
９    接着穴
１０    リブ
１１    頂板
１２    雌螺子
１３    内円筒胴
１４    切欠
１７    床板取付穴
１８    雄螺子
１９    底面
２１    ガイド穴
３０    台
３１    回り止めピン
【図１】
0003574284.tif 000002
【図２】
0003574284.tif 000003
【図３】
0003574284.tif 000004
【図４】
0003574284.tif 000005
【図５】
0003574284.tif 000006
【図６】
0003574284.tif 000007
【図７】
0003574284.tif 000008